(57)【特許請求の範囲】
【請求項１】
後面側に機構板が設けられているとともに、その機構板の上部に、パチンコホールから補給される遊技球を貯える遊技球タンクが設けられており、かつ、その遊技球タンクの下方に、遊技球払出装置が設けられており、遊技球タンクと遊技球払出装置とが、遊技球通路を有するケースレールを介して連通しているパチンコ機であって、
前記ケースレールは、外壁によって囲われた内部に、第１遊技球通路を形成する一対の壁部が蛇行した状態で並設されたもので、該壁部の一部が、壁部における他の部分よりも若干低く設けられている一方、前記一部よりも下方に、前記壁部及び外壁によって包囲される包囲部が設けられており、
該ケースレールが、機構板に形成された凹部内に、凹部に設けられた弾性係止爪によって、着脱自在に装着され、装着時には、前記包囲部が凹部によって覆われるとともに、
ケースレールに穿設されたネジ孔が、凹部の開口部から穿設された止め孔と合致した状態となる一方、
前記遊技球払出装置が、前記第１遊技球通路に連続する第２遊技球通路を有し、前記凹部内に嵌め込み装着される導入部材と、該導入部材の下方に設置され、前記第２遊技球通路内にある遊技球を払い出す機構を備えた本体部材とからなり、
前記導入部材に、前記本体部材に係止可能な連結部材を回動自在に設け、該連結部材を回動操作して前記本体部材に係止／係止解除することにより、前記導入部材と前記本体部材とを連結／連結解除可能としたことを特徴とするパチンコ機。
【請求項２】
ケースレールの左右両側に、凹部の開口部の左右両側を把持する鉤状部が付設されていることを特徴とする請求項１に記載のパチンコ機。
【請求項３】
ケースレールの露出面に、摘みが突設されていることを特徴とする請求項１または２に記載のパチンコ機。
【発明の詳細な説明】
【０００１】
【発明の属する技術分野】
本発明は、パチンコ機に関する。
【０００２】
【従来の技術】
パチンコ機は、前面側に、障害釘や入賞口などが設置された円形の遊技領域を備えているとともに、遊技領域の下側に、遊技球を発射装置へ送出する供給皿を、突出状態で備えている。また、パチンコ機は、後面側に、内部機構を搭載した機構板を備えており、機構板は、供給皿の側部上方に当たる部分に、遊技球を所定個数ずつ下方へ払い出す遊技球払出装置を有している。遊技球払出装置から払い出された遊技球は、前方の供給皿へ導かれる。さらに、機構板は、上部に、パチンコホールからの遊技球を貯めておく遊技球タンクを備えているとともに、遊技球タンクと遊技球払出装置とを連通する遊技球通路が設けられたケースレールを備えている。従来のパチンコ機において、ケースレールは、機構板上であって遊技球タンクと遊技球払出装置との間に螺着されている。
【０００３】
【発明が解決しようとする課題】
従来のパチンコ機は、ケースレールを、機構板に螺着された状態で有しているので、蓄積した塵の除去や破損発生時の修復・交換など、ケースレールのメンテナンスを行う際、ケースレールを着脱するために、ドライバーを用いてネジを回さなければならない。また、ケースレールの螺着部が破損した場合、ケースレールが取り付けできず無駄になってしまうし、機構板の螺着部が破損した場合、機構板がケースレールを保持できず、機構板の螺着部周辺を修復しもしくは取り換える必要が生ずる。さらに、ケースレールや機構板の螺着孔が広がったり、ネジが緩んだりすると、ケースレールが機構板に対してずれたり、遊技球が遊技球通路を通過する際にケースレールが横方向への振動を生じたりしてしまい、遊技球が詰まったり、遊技球通路を痛めたりする場合がある。
【０００４】
よって、本発明のうち、請求項１に記載の発明の課題は、ケースレールが着脱容易で、しかも、ケースレールの取り付け部が一度破損しても、ケースレールや機構板を取り換えずに再度取り付け可能なパチンコ機を提供することにある。
【０００５】
また、請求項２に記載の発明の課題は、請求項１に記載の発明の課題にくわえて、ケースレールの左右方向のずれや振動を防止して、遊技球の払い出し動作をスムーズにでき、ケースレールやその周辺部材の寿命を延ばすことのできるパチンコ機を提供することにある。
【０００６】
さらに、請求項３に記載の発明の課題は、請求項１，２に記載の発明の課題にくわえて、ケースレールをきわめて脱着し易いパチンコ機を提供することにある。
【０００７】
【課題を解決するための手段】
本発明のうち、請求項１に記載の発明は、後面側に機構板が設けられているとともに、その機構板の上部に、パチンコホールから補給される遊技球を貯える遊技球タンクが設けられており、かつ、その遊技球タンクの下方に、遊技球払出装置が設けられており、遊技球タンクと遊技球払出装置とが、遊技球通路を有するケースレールを介して連通しているパチンコ機であって、前記ケースレールは、外壁によって囲われた内部に、第１遊技球通路を形成する一対の壁部が蛇行した状態で並設されたもので、該壁部の一部が、壁部における他の部分よりも若干低く設けられている一方、前記一部よりも下方に、前記壁部及び外壁によって包囲される包囲部が設けられており、該ケースレールが、機構板に形成された凹部内に、凹部に設けられた弾性係止爪によって、着脱自在に装着され、装着時には、前記包囲部が凹部によって覆われるとともに、ケースレールに穿設されたネジ孔が、凹部の開口部から穿設された止め孔と合致した状態となる一方、前記遊技球払出装置が、前記第１遊技球通路に連続する第２遊技球通路を有し、前記凹部内に嵌め込み装着される導入部材と、該導入部材の下方に設置され、前記第２遊技球通路内にある遊技球を払い出す機構を備えた本体部材とからなり、前記導入部材に、前記本体部材に係止可能な連結部材を回動自在に設け、該連結部材を回動操作して前記本体部材に係止／係止解除することにより、前記導入部材と前記本体部材とを連結／連結解除可能としたことを特徴とする。
【０００８】
また、請求項２に記載の発明は、請求項１に記載の発明において、ケースレールの左右両側に、凹部の開口部の左右両側を把持する鉤状部が付設されていることを特徴とする。
【０００９】
さらに、請求項３に記載の発明は、請求項１，２に記載の発明において、ケースレールの露出面に、摘みが突設されていることを特徴とする。
【００１０】
【発明の実施の形態】
以下、本発明の実施形態につき、図面に基づいて説明する。図１はパチンコ機の前面側の説明図であって、パチンコ機１は、障害釘、風車、図柄表示装置、各種入賞口など（図示せず）が配設された円形の遊技領域２を、前面側の上半部に備えている。また、遊技領域２の前方には、ガラス板４が配置されている。ガラス板４は、円形の開口部を有する正方板状の前枠３に保持されている。前枠３は、開口部を遊技領域２と合致した状態で、向かって左側縁を軸とした片開き自在に枢着されている。さらに、前枠３の下側には、供給皿５を突設した中扉６が、左側縁を軸とした片開き自在に枢着されている。また、中扉６上であって、供給皿５の左側上方の部分には、払出口７が開口している。なお、中扉６の下側には、貯留皿８、灰皿９、発射ハンドル１０を突設した下側機能部１１が固着されている。また、遊技領域２は、板状の遊技盤（図示せず）の前面に形成されている。
【００１１】
一方、図２はパチンコ機１の後面側の説明図であって、パチンコ機１の後面側には、外枠１２が露出しており、外枠１２の向かって右側縁（すなわち、前面側から見て左側縁、以下同様）に、機構板１３が、外枠１２の内側に位置するように枢着されている。図３から図５は機構板１３の説明図であって、機構板１３は、長手方向に沿った直方体状の凹部２２を備えた鉛直柱状の右側部材１８に、遊技球タンク１６、下側部材１９を、上下端において接合することによってコ字状に形成されている。右側部材１８の凹部２２の開口部付近両側は、一部薄部として形成されている。なお、機構板１３は、向かって奥（すなわち前面側、以下同様）に位置するミドル枠２３に搭載されている。ミドル枠２３は、遊技盤を載置している。また、ミドル枠２３の下端縁中央には、手前と奥と上方とに開口部を有するバケツ部５３が形成されている。さらに、前枠３と中扉６と下側機能部１１とは、ミドル枠２３の前面と一体である薄板７４に取り付けられている。
【００１２】
遊技球タンク１６は、パチンコホールから補給される遊技球を貯える皿状部２０に、１個の遊技球の直径よりごく僅かに（たとえば、０．５ｍｍ）幅広の遊技球通路（図示せず）を２つ並設した通路部２１が、皿状部２０と連通した状態で右下部から突設されて形成されている。
【００１３】
下側部材１９は、下側部材本体２５、本体カバー２６、セーフ球通路カバー２７、基板台２９、セーフ球排出装置３０、球抜き通路カバー２８などからなる。下側部材本体２５は、後部に、入賞球が貯えられるセーフ球タンク３１、セーフ球タンク３１と連通したセーフ球通路３２、前面側の貯留皿８とミドル枠２３のバケツ部５３を介して連通した溢れ球通路３３などを有している。本体カバー２６は、下側部材本体２５のセーフ球通路３２以外を覆うように、下側部材本体２５手前にピン止めされている。セーフ球通路カバー２７は、セーフ球通路３２を覆うように、本体カバー２６と一部手前で重なった状態で、下側部材本体２５手前にピン止めされている。基板台２９は、手前に、制御装置１５およびサブ基板２４（図２）を左右に並設する取付部７７，７８・・を備えており、本体カバー２６の上辺手前に、上辺を軸とした片開き自在に枢着されている。制御装置１５およびサブ基板２４は、パチンコ機１の作動を制御する。
【００１４】
一方、球抜き通路カバー２８は、下側部材本体２５の奥の球抜き通路（図示せず）を覆うように係止されている。また、セーフ球排出装置３０は、セーフ球通路３２の下端に制御装置１５と結線された状態で設置されており、遊技球が通過する毎に制御装置へ検知信号を発する。なお、パチンコ機１の後面側において、下側部材１９の上方には、右側部材１８や遊技盤の後側へ露出するように配置された図柄表示装置（図示せず）などを覆うセンターカバー１４が設置されている（図２）。
【００１５】
また、右側部材１８の凹部２２には、左側の薄部に並設した切り込み４９，４９を両端とする、先端矢尻状の弾性係止爪１７が設けられている。さらに、凹部２２両側の薄部外方であって、弾性係止爪１７の上側と、右側の中央とには、円筒状の止め孔４６を穿設した螺着部４７，４７が形成されている。
【００１６】
そして、右側部材１８の上端には、遊技球タンク１６の通路部２１が配置され、皿状部２０の右上部がピン止めされている。なお、配置された通路部２１の上側に、パチンコ機１の作動を制御するターミナル基板３５が装着されている。
【００１７】
また、凹部２２の下端の奥は開口されて前面側の払出口７と連通しており、その開口部を含めた下端縁には、遊技球払出装置３４が装着されている。遊技球払出装置３４は、制御装置１５に電気的に接続されており、制御装置１５は、セーフ球排出装置３０の検知信号を受信すると、遊技球払出装置３４にパルス電流を送るようにされている。遊技球払出装置３４は、パルス電流を利用して、球切部材（図示せず）を係止したソレノイド（図示せず）を瞬間作動させ、係止を一瞬解除して球切部材の所定角度の回転を引き起こさせることによって、遊技球通路（図示せず）の配置により球切部材の隣接部に導入された遊技球を、一回の作動毎に一定数のみ払い出す。なお、球切部材と遊技球通路とソレノイドとは、遊技球払出装置３４の本体部材７５の左右に、それぞれ並設されている。
【００１８】
さらに、下側部材１９が、遊技球払出装置３４の下側に溢れ玉通路３３の上端が連結された状態で、右側部材１８に組み付けられている。
【００１９】
そして、凹部２２内であって、遊技球タンク１６の通路部２１と遊技球払出装置３４との間には、凹部２２と同幅でほぼ同じ奥行きの直方体状であるケースレール３６が、凹部２２の両側と底面とに接した状態で装着されている。図６から図８はケースレール３６の説明図であって、ケースレール３６は、左右方向の中心に板部４０を有しているとともに、板部４０の両側部に、ほぼ平行に蛇行した状態で立設された２つの壁部３８，３８をそれぞれ備えている。各側の壁部３８，３８は、遊技球径よりごく僅かに幅広に並設されており、板部４０の一部とともに遊技球通路３９を形成している。左右の遊技球通路３９，３９の上端は、それぞれ前後位置を違えて、外壁４１上面に開口され、通路部２１の対応する遊技球通路と連通している。一方、遊技球通路３９，３９の下端は、前後位置を合わせた状態で、外壁４１下面の奥に位置しており、遊技球払出装置３４の導入部材７５（図９）の対応する遊技球通路５７に連通している。また、板部４０の周囲であって、壁部３８，３８・・の手前と奥の上部とには、外壁４１が設けられている。なお、手前の各壁部３８の手前から奥へ下るスロープ４２，４２・・は、他の部分より若干低く立設されている。
【００２０】
また、外壁４１の手前部分である露出面７６の中央には、凹部２２の開口部よりも手前に突出する摘み３７が設けられている。さらに、露出面７６上であって、左上コーナー際と、摘み３７の右方とには、ネジ孔４３をそれぞれ有する螺着片４４，４４が、凹部２２の各螺着部４７に対応するように、側方に突設されている。各螺着片４４は、対応する螺着部４７に、ネジ孔４３と止め孔４６とが合致した状態で重なっている。さらに、露出面７６の左辺の上下と、右辺の中央とには、Ｌ字状の鉤状部４５，４５・・が、側方および後方に突出した状態で付設されており、凹部２２の開口部の薄部を外壁４１とともに把持している。そして、ケースレール３６は、弾性係止爪１７によって露出面７６の中央左側を係止された状態で、凹部２２内に保持されている（図７）。
【００２１】
なお、図９に示すように、遊技球払出装置３４の導入部材５０は、ケースレール３６と同様に、板部５２に、外壁５５，５５・・を周設し、両側にそれぞれ壁部５４，５４を立設して、通路部２１やケースレール３６の遊技球通路と同幅の遊技球通路５７を形成するとともに、外壁５５の露出面に鉤状部５６，５６を付設することによって形成されており、凹部２２左側に形成された弾性係止爪７０と鉤状部５６，５６とによって凹部２２の下部に保持されている。また、導入部材５０は、板部５２の両側にそれぞれ遊技球検知スイッチ６０を備えている。
【００２２】
各遊技球検知スイッチ６０は、ガイド孔６１，６１と押ボタン６３とコネクタ６７，６７・・とを有するスイッチ本体６２、レバー６４、軸６５などからなる。各スイッチ本体６２は、板部５２の両側に逆側と前後位置を違えてそれぞれ対角状に突設された爪５８，５８に係止されることによって、板部５２上に取り付けられている。さらに、各スイッチ本体６２のガイド孔６１，６１には、板部５２各側の爪５８，５８内側に突設されたガイド５９，５９が嵌入されている。なお、各スイッチ本体６２は、コネクタ６７，６７・・を介して制御装置１５に結線されている。
【００２３】
一方、各レバー６４は、上部の軸受６６に挿通された軸６５を介して、板部５２上であって遊技球通路５７の手前に突設された円筒状の軸受７９へ、押ボタン６３と隣接した状態で回動自在に取り付けられている。そして、各遊技球検知スイッチ６０は、遊技球通路５７に導入された遊技球によって押されたレバー６４が、手前に回動して押ボタン６３を押下し、スイッチ本体６２を入状態とする、といったように作動する。制御装置１５は、遊技球検知スイッチ６０，６０が双方とも入状態であると、遊技球払出装置３４のソレノイドを双方とも作動可能とする。逆に、遊技球が遊技球通路５７に導入されず、遊技球通路５７が空となっている場合、各遊技球検知スイッチ６０は、押ボタン６３の弾性によりレバー６４が奥に戻されてスイッチ本体６２が切状態を保つ、といった状態となる。制御装置１５は、少なくとも一方の遊技球検知スイッチ６０が切状態であると、遊技球払出装置３４のソレノイドを双方とも作動させない。
【００２４】
くわえて、導入部材５０の露出面の中央には、連結基部孔６８を有する連結基部６９が手前に突設されている。連結基部６９には、レバー状の連結部材５１が、回動自在に取り付けられている。すなわち、連結部材の５１上部に設けられた連結軸７１を連結基部孔６８に受け入れた状態で、連結基部孔６８より大きい頭部を有するネジ（図示せず）が、連結軸７１に螺入されている。連結部材５１は、さらに、下部の連結部７２を介して、導入部材５０下側に配置された、遊技球払出装置３４の本体部材７５に係止されている。なお、本体部材７５は、連結部７２の左右各面から突設された弾性突起７３をそれぞれ受け入れる２つの係止孔（図示せず）を備えている。
【００２５】
以上のようなパチンコ機１では、機構板１３の右側部材１８に形成された凹部２２内に、遊技球通路３９，３９を有するケースレール３６が、凹部２２左側の弾性係止爪１７によって、着脱自在に装着されているので、ケースレール３６を、弾性係止爪１７の頭部を若干側方へ押さえるだけで容易に凹部２２へ着脱でき、さらに、ケースレール３６の露出面７６に、凹部２２の開口部から突出する摘み３７が設けられているので、弾性係止爪１７を押さえた手と逆の手で摘み３７を掴むことにより、きわめて容易にケースレール３６を着脱できる。
【００２６】
しかも、ケースレール３６の各螺着片４４に穿設されたネジ孔４３が、凹部２２の開口部の薄部外側の各螺着部４７に穿設された止め孔４６と合致した状態となっているので、図８に示すように、凹部２２左側の弾性係止爪が折損した場合であっても、ネジ孔４３に通したネジ４８を止め孔４６に螺入することによって、ケースレール３６を、凹部２２内の所定位置に螺着し、再利用することができる。なお、ネジ４８を螺入すると、止め孔４６にネジ溝が切られる。
【００２７】
くわえて、ケースレール３６の露出面７６の左右両側に、凹部２２の開口部の左右両側を把持する鉤状部４５，４５・・が付設されているので、ケースレール３６が凹部２２に装着された場合、ケースレール３６に作用する左右方向の分力に、鉤状部５６，５６・・によって抗することができ、通常時はもちろん、弾性係止爪１７の弾性が十分でなくなったり各ネジ孔４３や各止め孔４６が広がったりしてケースレール３６の取付が若干甘くなったとしても、ケースレール３６の左右方向のずれや振動を防ぐことができる。したがって、ケースレール３６は、遊技球通路３９，３９を、遊技球タンク１６の通路部２１と、遊技球払出装置３４とに連通した状態で装着されていることと相まって、各種遊技球通路の幅が遊技球径よりごく僅かにしか広くない場合であっても、ホールから補給された遊技球を、遊技球払出装置３４に、詰まったり各種遊技球通路に傷を付けたりすることなくスムーズに供給することができ、遊技球払出装置３４はパチンコ機１前面側の供給皿５の上側の払出口７と連通しているので、遊技球を供給皿５へスムーズに払い出すことができ、またスムーズな払い出し動作により、ケースレール３６をはじめ遊技球払出装置３４や遊技球タンク１６などの寿命を延ばすことができる。
【００２８】
なお、ケースレール３６の手前の壁部３８の手前から奥へ下る各スロープ４２は、壁部３８の他の部分と比較して低く立設されているため、遊技球に付着した塵が遊技球通路３９内において離脱しても、スロープ４２の外側から遊技球通路３９の外方に落下させることができ、塵が遊技球通路３９内に溜まる量を減らすことができる。したがって、遊技球の流下がスムーズととなり、ケースレール３６の寿命が延びる。しかも、各スロープ４２の下方は、外壁４１とスロープ４２以外の壁部４１と板部４０とで包囲されているので、塵が再侵入しもしくは外方に漏出する事態を防止することができるし、包囲部分の塵を取り出すだけで清掃の大部分を実行でき、メンテナンスがさらに容易になる。
【００２９】
また、遊技球払出装置３４の導入部材５０は、ケースレール３６と同様に、弾性係止爪７０によって係止されており、さらに摘むことのできる連結部材５１を備えているので、着脱容易である。くわえて、鉤状部５６，５６が付設されているので、遊技球の流下の妨げとなる左右方向のずれや振動を防止することができる。
【００３０】
一方、連結部材５１が、導入部材５０の露出面中央に、回動自在に設けられており、さらに本体部材７５に係止されているので、互いの水平位置が精度良く合致し、よって遊技球通路の連続性を保ち、遊技球通路が遊技球径より僅かにしか幅広でない場合であっても遊技球の流下をスムーズにしている。また、遊技球払出装置３４をメンテナンスする際においては、連結部材５１を、回動により引き上げることによって、本体部材７５との連結を容易に解き、導入部材５０もしくは本体部材７５を個別に着脱することができる。なお、本体部材７５の２つの係止孔に対して、導入部材５０の弾性突起７３，７３がそれぞれ入り込むので、連結部材５１を着脱容易かつ確実に係止可能とできる。
【００３１】
また、遊技球検知スイッチ６０のスイッチ本体６２は、爪５８により導入部材５０の板部５２に取り付けられているので、着脱容易であり、メンテナンスがし易い。さらに、各スイッチ本体６２は、ガイド孔６１に、板部５２から突設されたガイド５９を受け入れているので、板部５２に対して位置決めされた状態で確実に取り付けられる。以上により、遊技球払出装置３４の寿命が延びる。
【００３２】
なお、本発明は、上記実施形態に限定されるものではなく、次に一部示すように様々に変更可能である。機構板は、遊技球タンクと右側部材と下側部材とが別体のコ字形状である必要はなく、一体的にもしくは全体板状に形成されていても良い。ケースレールの遊技球通路は、壁部を有し蛇行して２本並設される態様に限られず、ケースレールに１本穿設されても良いし、遊技球径に対して余裕のある幅に形成しても良い。また、凹部や遊技球タンクや遊技球払出装置の形状・設置態様も上記に限られず、凹部は薄部を備える必要はないし、遊技球タンクの通路部は別体もしくは凹部と連続したものであって良いし、遊技球払出装置の導入部材と本体部材とは一体であっても良いし、導入部材の壁部に他より低い部分を形成し、塵のみを落下可能としても良い。
【００３３】
また、弾性係止爪は、凹部の側部の切り込みを両端としたものに限られず、凹部底面から突設されたものなどとすることができる。ネジ孔は、露出面から突設された螺着片に設ける必要はなく、露出面に穿設されていても良い。止め孔は、凹部の薄部に付設された螺着部に円筒状に穿設される必要はなく、開口部に直接螺刻しても良い。鉤状部は、Ｌ字状に形成されるだけでなく、単に後方に突出するように形成しても良い。また、螺着部や鉤状部や摘みの個数や設置態様は上記に限られず、より多数別位置に設けることができるし、摘みは凹部の開口部から突出しないようにすることができる。さらに、ケースレールは、極めて強固に取り付けることを目的として、弾性係止爪とネジとによって取り付けられても良い。そして、本発明は、中扉と下側機能部とが一体となったものなど他のタイプのパチンコ機に、また他の遊技機に適用できる。
【００３４】
【発明の効果】
本発明のうち、請求項１に記載の発明は、パチンコ機の機構板の凹部内に、ケースレールが、ネジ孔を、凹部の止め孔と合致させた状態で、弾性係止爪によって係止されているので、ケースレールを着脱容易とし、メンテナンスを容易化することができるとともに、弾性係止爪が一旦破損しても、ネジ孔を介して止め孔に螺着することによって再利用することができる、という効果を奏する。
また、ケースレールは、外壁によって囲われた内部に、遊技球通路を形成する一対の壁部が蛇行した状態で並設されたもので、該壁部の一部が、壁部における他の部分よりも若干低く設けられている一方、その一部よりも下方に、壁部及び外壁によって包囲される包囲部が設けられているため、遊技球に付着した塵が遊技球通路内において離脱しても、壁部の外側から遊技球通路の外方、すなわち包囲部内へと落下させることができ、塵が遊技球通路内に溜まる量を減らすことができる。したがって、遊技球の流下がスムーズとなり、ケースレールの寿命が延びる。さらに、包囲部は、壁部及び外壁によって包囲されているとともに、凹部内への装着時には凹部によって覆われるため、塵が再侵入しもしくはケースレール外方に漏出する事態を防止することができるし、包囲部分の塵を取り出すだけで清掃の大部分を実行でき、メンテナンスがさらに容易になる。
加えて、遊技球払出装置が、第１遊技球通路に連続する第２遊技球通路を有し、凹部内に嵌め込み装着される導入部材と、該導入部材の下方に設置され、第２遊技球通路内にある遊技球を払い出す機構を備えた本体部材とからなり、導入部材に、本体部材に係止可能な連結部材を回動自在に設け、該連結部材を回動操作して本体部材に係止することにより、導入部材と本体部材とを連結可能としている。したがって、互いの水平位置が精度良く合致するため、遊技球通路の連続性を保つことができ、遊技球通路が遊技球径より僅かにしか幅広でない場合であっても遊技球の流下をスムーズにしている。また、遊技球払出装置をメンテナンスする際においては、連結部材を回動操作して本体部材との係止を解除することによって、導入部材と本体部材との連結を容易に解くことができ、導入部材もしくは本体部材を個別に取り外してメンテナンスすることができる。
【００３５】
また、請求項２に記載の発明は、請求項１に記載の発明にくわえて、ケースレールに凹部の左右両側を把持する鉤状部が付設されているので、請求項１に記載の発明の効果の他、左右方向のずれや振動を防止することができて遊技球の流下をスムーズにでき、ひいてはケースレールやその周辺部材の寿命を延ばすことができる、という効果を奏する。
【００３６】
さらに、請求項３に記載の発明は、請求項１，２に記載の発明にくわえて、ケースレールの露出面に摘みが突設されているので、請求項１，２に記載の発明の効果にくわえて、ケースレールがきわめて着脱容易となる、という効果を奏する。
【図面の簡単な説明】
【図１】パチンコ機の前面側を示す説明図である。
【図２】パチンコ機の後面側を示す説明図である。
【図３】ミドル枠上の機構板を示す説明図である。
【図４】ミドル枠と機構板の一部分解説明図である。
【図５】機構板の一部分解説明図である。
【図６】（ａ）ケースレールの後面側から向かって左面の説明図である。
（ｂ）ケースレールの露出面の説明図である。
（ｃ）ケースレールの後面側から向かって右面の説明図である。
（ｄ）ケースレールの斜視説明図である。
【図７】ケースレールを取り付けた状態を示す説明図である。
【図８】ケースレールの螺着を示す説明図である。
【図９】（ａ）遊技球払出装置の導入部材を示す斜視説明図である。
（ｂ）遊技球払出装置の導入部材の分解斜視説明図である。
【符号の説明】
１・・パチンコ機、２・・遊技領域、３・・前枠、４・・ガラス板、５・・供給皿、６・・中扉、７・・払出口、８・・貯留皿、９・・灰皿、１０・・発射ハンドル、１１・・下側機能部、１２・・外枠、１３・・機構板、１４・・センターカバー、１５・・制御装置、１６・・遊技球タンク、１７，７０・・弾性係止爪、１８・・右側部材、１９・・下側部材、２０・・皿状部、２１・・通路部、２２・・凹部、２３・・ミドル枠、２４・・サブ基板、２５・・下側部材本体、２６・・本体カバー、２７・・セーフ球通路カバー、２８・・球抜き通路カバー、２９・・基板台、３０・・セーフ球排出装置、３１・・セーフ球タンク、３２・・セーフ球通路、３３・・溢れ球通路、３４・・遊技球払出装置、３５・・ターミナル基板、３６・・ケースレール、３７・・摘み、３８，５４・・壁部、３９，５７・・遊技球通路、４０，５２・・板部、４１，５５・・外壁、４２・・スロープ、４３・・ネジ孔、４４・・螺着片、４５，５６・・鉤状部、４６・・止め孔、４７・・螺着部、４８・・ネジ、４９・・切り込み、５０・・導入部材、５１・・連結部材、５３・・バケツ部、５８・・爪、５９・・ガイド、６０・・遊技球検知スイッチ、６１・・ガイド孔、６２・・スイッチ本体、６３・・押ボタン、６４・・レバー、６５・・軸、６６，７９・・軸受、６７・・コネクタ、６８・・連結基部孔、６９・・連結基部、７１・・連結軸、７２・・連結部、７３・・弾性突起、７４・・薄板、７５・・本体部材、７６・・露出面、７７，７８・・取付部。
【図１】
0004352481.tif 000002
【図２】
0004352481.tif 000003
【図３】
0004352481.tif 000004
【図４】
0004352481.tif 000005
【図５】
0004352481.tif 000006
【図６】
0004352481.tif 000007
【図７】
0004352481.tif 000008
【図８】
0004352481.tif 000009
【図９】
0004352481.tif 000010